(57)【特許請求の範囲】
【請求項１】
ランドルト環を表示部に表示させる手段と、
表示されたランドルト環を回転ミラーを介して表示部で所定方向に移動させる手段と、
前記ミラーの回転数を自動的に切り換えてミラー回転数を減少させていき、被検者がランドルト環の切れ目を認識してその方向を指示したときのミラー回転数を検出する手段とを設け、
前記方向を指示したときのミラー回転数に基づき被検者の動体視力を測定することを特徴とする視力計。
【請求項２】
前記ミラー回転数を初期状態から減少させることを特徴とする請求項１に記載の視力計。
【請求項３】
前記ランドルト環の大きさが選択できることを特徴とする請求項１又は２に記載の視力計。
【請求項４】
前記表示部が曲面のスクリーンであり、曲面の中心が被検者の眼軸とほぼ一致していることを特徴とする請求項１から３のいずれか１項に記載の視力計。
【請求項５】
前記動体視力の測定を複数回行ない、その結果を統計処理することを特徴とする請求項１から４のいずれか１項に記載の視力計。
【発明の詳細な説明】
【０００１】
【発明の属する技術分野】
本発明は、視力計、特に、動体視力を測定できる視力計に関する。
【０００２】
【従来の技術】
静止視力計では、静止している物を見る視知覚能力、すなわち静止視力が測定される。一方、自動車走行中の障害や、信号、標識などを素早く的確に判断することが必要なことから、動体視力の測定が重要視されている。動体視力とは、動く物を見る能力、すなわち、自分が動いていて静止している物を見る場合、あるいは自分が静止していて動く物を見る場合、あるいは両方が動いている場合などの視知覚能力をいい、一般に静止視力より約２０〜３０％低下するといわれている。
【０００３】
【発明が解決しようとする課題】
スピード、疲労、加齢などの要素により動体視力の低下は加速、増幅され、高速になると、動体視力は半減し、それだけ危険に対する判断が不正確になり、特に、自動車を高速運転しているときには、危険な状態になることから、動体視力の測定が重要になっている。
【０００４】
しかしながらこれまで動体視力を簡単にしかも確実に定量的に測定できる視力計はなかった。
【０００５】
本発明は、このような点に鑑みてなされたもので、簡単な構成でしかも確実に動体視力を測定することができる視力計を提供することをその課題としている。
【０００６】
【課題を解決するための手段】
以上の課題を解決するために、本発明では、
ランドルト環を表示部に表示させる手段と、
表示されたランドルト環を回転ミラーを介して表示部で所定方向に移動させる手段と、
前記ミラーの回転数を自動的に切り換えてミラー回転数を減少させていき、被検者がランドルト環の切れ目を認識してその方向を指示したときのミラー回転数を検出する手段とを設け、
前記方向を指示したときのミラー回転数に基づき被検者の動体視力を測定する構成を採用している。
【０００７】
このような構成では、ランドルト環を回転ミラーを介して移動させ、ミラーの回転数を自動的に切り換えてミラー回転数を減少させていき、被検者がランドルト環の切れ目を認識してその方向を指示したときのミラー回転数に基づき被検者の動体視力を測定するようにしているので、簡単な構成でしかも確実に動体視力を測定することが可能になる。
【０００８】
【発明の実施の形態】
以下に、図面に示す実施の形態に基づいて本発明を詳細に説明する。
【０００９】
図１、図２は、本発明の視力計の１実施形態を示すもので、符号１は被検者台で、被検者はあごをあご当て台１ａに、また額を額当て台１ｂに当てて着座する。検者は調節ノブ１ｃを調節することにより額当て台１ｂの上下位置を調節することができる。被検者台１は基台２上に配置され、その基台２には、更に操作パネル５を設けたコントロールボックス３並びにスライドプロジェクタ４が配置される。
【００１０】
基台２は、連結台６を介して表示台７に連結されており、表示台７上には支柱７ａ〜７ｄを介して曲面状の表示スクリーン８が支持されている。また、被検者台１には応答スイッチ９（図２には不図示）が取り付けられ、操作パネル５に隣接して電源スイッチ２０が配置される。
【００１１】
スライドプロジェクタ４は、図３に示すように、所定方向に切れ目のある公知のランドルト環を印刷した視標チャート４ａを投影するもので、光源４ｂによりレンズ４ｃを介して照明されたチャート４ａはレンズ４ｄ、ミラー１０を介して表示スクリーン８上に投影される。
【００１２】
ミラー１０は、コントロールボックス３内に配置されたＣＰＵ３ａにより駆動されるモータ３ａにより軸１０ａを中心に回動できるように構成されており、表示スクリーン８の曲面の中心が被検者の目の位置あるいはミラー１０の回転中心１０ａとほぼ一致するように配置されるので、ミラー１０が回転すると、表示スクリーン８上に投影されるランドルト環の視標はスクリーン上を横方向（水平方向）に左右に移動する。そして、その移動速度はモータ３ｂの駆動速度を変化させ、ミラー１０の回転速度を変化させることにより変化させることができる。
【００１３】
ＣＰＵ３ａは、クロック３ｃのクロックで動作し、メモリ３ｄ内に格納された視力計を所定の手順で動作させるプログラムを実行する。またＣＰＵ３ａはインターフェース３ｅを介して種々の入力信号を取り入れ、またその入力信号を処理してデータをメモリ３ｄに格納するとともに、出力信号を周辺機器に出力する。
【００１４】
インターフェース３ｅは、図４に詳細に図示されたような操作パネル５に設けられたボタンを介して種々の信号をＣＰＵ３ａに取り入れる。スタートボタン５ａを操作すると、その信号がインターフェース３ｅを介してＣＰＵ３ａに送られ、動体視力測定を開始することができる。このとき、ランプ４ｂが点灯しランドルト環の視標がスクリーン８に投影される。
【００１５】
モード切換ボタン５ｂは、視力測定の自動あるいは手動を切り換えるスイッチであり、回転速度制御ボタン５ｃ、５ｄはミラー１０（ないしモータ３ｂ）の回転数を制御するもので、初期状態では回転数は４９．５ｒｐｍに設定されているが、例えばボタン５ｃ（５ｄ）を操作すると、回転数を減少（増大）させることができる。モータの回転方向は、回転方向制御ボタン５ｅを操作することにより切り換えることができる。なお、モータ３ｂあるいはそれにより駆動されるミラー１０の現在の回転速度は表示部５ｆに表示させることができ、また測定終了時の回転速度は記憶ボタン５ｇを操作することによりメモリ３ｄに記憶させることができる。
【００１６】
更に、チャート制御ボタン５ｈ（５ｉ）を操作すると、チャート切換機構４ｅを介してチャートを送り（戻り）に切り換えることができ、プロジェクタ４の光路にランドルト環の大きさの異るチャート４ａを切り換えて挿入することができる。切り換えられたチャート番号は表示部５ｊに表示することができ、またこの表示部５ｊには、現在までの測定回数も表示させることができる。なお、表示部５ｋには、被検者がランドルト環の切れ目の方向を認識できたときの回転数の平均値が表示される。
【００１７】
次にこのように構成された視力計の動作を説明する。
【００１８】
まず、電源スイッチ２０を入れると、モータ３ｂが回転してミラー１０が回転し始める。ミラーの回転方向を変えたいときは、回転方向制御ボタン５ｅを操作して切り換える。次にモード切換ボタン５ｂを操作して、測定の自動あるいは手動の切換を行なう。
【００１９】
自動モードのときは、ミラーの回転数は４９．５ｒｐｍに設定されるが、これを変えたいときは、回転速度制御ボタン５ｃ（５ｄ）を操作することにより行なう。ボタン５ｃ（５ｄ）を操作すると、回転数を減少（増大）させることができ、そのときのミラーの回転数が表示部５ｆに表示される。
【００２０】
続いて、スタートボタン５ａを押下すると、スライドプロジェクタ４のランプ４ｂが点灯し、チャート４ａのランドルト環の視標がスクリーン８に投影されるようになる。被検者は応答スイッチ９を押下すると測定が開始され、ランドルト環の視標の像はミラーの回転速度に応じてスクリーンを左右に横切るように高速に移動する。
【００２１】
ミラーの回転数は上記初期状態より減少していき、被検者は視標像が移動しているのを観察して、ランドルト環の切れ目が認識できたときにその方向を応答スイッチ９で指示する。その指示があったときの回転数が表示部５ｆに表示されるとともに、記憶ボタン５ｇを押下することによりその回転数をメモリ３ｄに格納することができる。
【００２２】
ボタン５ｃ、５ｄを同時に押すとリセットとなり、測定開始前の状態になり、スタートボタン５ａを押すことにより２回目の測定を開始することができる。
【００２３】
２回目あるいはそれ以降の測定が同様に行なわれ、被検者は移動するランドルト環の切れ目を認識したときには、その指示を行なう。このときの回転数が表示部５ｆに表示されるとともに、記憶ボタン５ｇを押下することによりその回転数をメモリ３ｄに格納することができ、ＣＰＵは測定数と各回の回転数からその平均値を演算し、それを表示部５ｋに表示する。この平均値に対応した値が被検者の動体視力になる。
【００２４】
自動モードのときは、ミラーの回転数並びにランドルト環視の視標の大きさは自動的に所定の手順で調整ないし切り換えられるが、手動モードのときは、測定時のミラー１０の回転速度が不適の場合には、ボタン５ｃあるいは５ｄを操作することによりミラーの回転数を調整し、またランドルト環の大きさが不適な場合には、チャート制御ボタン５ｈ、５ｉを操作して適当なランドルト環視に切り換えるようにする。その他は自動モードと同じで、複数回の測定を行なった後、回転数の平均値を表示部５ｋに表示させ、動体視力の測定を完了する。
【００２５】
【発明の効果】
以上説明したように、本発明では、ランドルト環を回転ミラーを介して移動させ、ミラーの回転数を自動的に切り換えてミラー回転数を減少させていき、被検者がランドルト環の切れ目を認識してその方向を指示したときのミラー回転数に基づき被検者の動体視力を測定するようにしているので、簡単な構成でしかも確実に動体視力を測定することが可能になる。
【図面の簡単な説明】
【図１】図１は、本発明の一実施形態に係わる視力計の側面図である。
【図２】図２は、本発明の一実施形態に係わる視力計の上面図である。
【図３】図３は、本発明の一実施形態に係わる視力計の光学系並びに制御系の構成を示した構成図である。
【図４】図４は、本発明の一実施形態に係わる視力計の操作パネルの正面図である。
【符号の説明】
１  被検者台
３  コントロールボックス
４  スライドプロジェクタ
８  スクリーン
１０  回転ミラー
【図１】
0003836965.tif 000002
【図２】
0003836965.tif 000003
【図３】
0003836965.tif 000004
【図４】
0003836965.tif 000005